(57)【要約】【課題】適切な音及び節度感をフィードバックするように、対応するＳＭＢジャックとの接触を維持するＦＡＫＲＡ−ＳＭＢコネクタ組立体の提供。【解決手段】電気コネクタ１０は、ＳＭＢインタフェース２８を提供するジャックハウジング２０であって、所望のＦＡＫＲＡ規格仕様に従ってキー配置された前方部２２と、両側壁の背面にラッチ２６を有する後方部２４とを有する、１極ＦＡＫＲＡ規格準拠ジャックハウジング２０と、ＦＡＫＲＡ規格準拠ジャックハウジング２０内に一体化可能なジャック４０とを具備し、ジャック４０は、後方部２４上のラッチ２６により所定位置にスナップ嵌合する。【選択図】図１
2004241385.tif 000002
【特許請求の範囲】
【請求項１】
ＳＭＢインタフェースを提供するジャックハウジングであって、所望のＦＡＫＲＡ規格仕様に従ってキー配置された前方部と、両側壁の背面にラッチを有する後方部とを有する、少なくとも１極又は２極のＦＡＫＲＡ規格準拠ジャックハウジングと、
前記ＦＡＫＲＡ規格準拠ジャックハウジング内に一体化可能なジャックとを具備し、
前記ジャックは、前記後方部上の前記ラッチにより所定位置にスナップ嵌合することを特徴とする電気コネクタ。
【請求項２】
前記ジャックは、
所望のＳＭＢインタフェースに接触するよう構成された副組立体コンタクトと、
前記副組立体コンタクトを収容し、前記後方部の前記ラッチにスナップ嵌合するよう構成された後シェルと
をさらに有することを特徴とする請求項１記載の電気コネクタ。
【請求項３】
前記ラッチは前記後方部の高さの約８０％であることを特徴とする請求項２記載の電気コネクタ。
【請求項４】
前記ジャックは、前記ジャックの前記後シェルの周囲に係合する前記後方部ラッチを引き離すことにより、前記ＦＡＫＲＡ規格準拠ジャックハウジング内にスナップ嵌合した後、除去可能であることを特徴とする請求項３項記載の電気コネクタ。
【請求項５】
ＳＭＢインタフェースを提供するジャックハウジングであって、所望のＦＡＫＲＡ規格仕様に従ってキー配置された２個の前方部と、両側壁の背面にラッチを有する２個の後方部とを有する、２極のＦＡＫＲＡ規格準拠ジャックハウジングと、
前記ＦＡＫＲＡ規格準拠ジャックハウジング内に一体化可能で、前記後方部上の前記ラッチにより所定位置にスナップ嵌合するジャックと、
前記２個の前方部を結合する連結部と、
該連結部の頂上の中心に実装されるロック突起と
を具備することを特徴とする２極電気コネクタ。
【請求項６】
前記連結部の前記頂上の中心に安定して配置されたロック突起を有し、
前記連結部お酔い前記ロック突起は共に、所望のＦＡＫＲＡ規格に従って構成されたプラグ内に安定して一体化されることを特徴とする請求項５項記載の２極電気コネクタ。
【発明の詳細な説明】
【技術分野】
【０００１】
本発明は電気コネクタに関し、より詳細には、ケーブル及び印刷回路基板に接続するための１極及び２極の電気コネクタを製造するための装置、方法及び製造物に関する。
【背景技術】
【０００２】
ケーブル対ケーブルコネクタ及び印刷回路基板（ＰＣＢ）対ケーブルコネクタは、種々のスキームに従って規格化可能である。自動車用途で広く使用されている１規格スキームはＦＡＫＲＡと称されている。規格団体ＦＡＫＲＡは、英訳では「標準化のためのドイツ協会における自動車規格委員会」として知られるNormenausschuss Kraftfahrzeugeを表わすドイツ語の単語である。ＦＡＫＲＡは、本出願に関連する規格スキームのドイツ版であるＤＩＮ７２５９４を発表した。ＤＩＮ７２５９４は、「ＩＳＯ  ＴＣ  ２２／ＷＧ  ５  Ｎ  ４４  道路車両無線周波数インタフェース−寸法及び電気的要求事項」と題する提案に関する。ＦＡＫＲＡが広めたこの規格スキームは、規格スキームを立案した組織名のため、ＦＡＫＲＡ規格として当業界では知られ称される。
【０００３】
ＦＡＫＲＡ規格スキームは、適切なプラグに一体化するための適切なキーイングを提供するためと、同時に適切なＳＭＢインタフェースを有する所望のＳＭＢハウジングのジャックハウジングへの接続を許容するために、ジャックハウジングがどのように構成されなければならないかを規定する。
【０００４】
ＦＡＫＲＡ規格スキームは、所望のＳＭＢインタフェース用の特定キー及びカラーコードを提供する。ＦＡＫＲＡコードは、１極ＳＭＢインタフェース接続用に１１通りの特定キー及びカラーコードを提供する。この現在のＦＡＫＲＡ規格はまた、本明細書では「所定コードスキーム」と称される。これら１１通りのキー及びカラーコードは、相手プラグと嵌合するジャックハウジングに１１通りの特定のリブ及び凹部配置を提供する。
【０００５】
ＦＡＫＲＡ規格スキームはまた、２極ＳＭＢインタフェース接続用に８通りのキー及びカラーコードを提供する。この現在のＦＡＫＲＡ規格もまた、本明細書では「所定コードスキーム」と称される。これら８通りのキー及びカラーコードは、相手プラグと嵌合するジャックハウジングに８通りの特定のリブ及び凹部配置を提供する。
【０００６】
ＦＡＫＲＡ規格の１極及び２極ジャックハウジングは、ＦＡＫＲＡ仕様準拠を維持しなければならないが、他方、適切なＳＭＢインタフェースをも提供しなければならない。例えば、２極のＦＡＫＲＡ規格ジャックハウジングは、対応するＳＭＢジャック用に適切なＳＭＢインタフェースを有していなければならない。ＦＡＫＲＡ規格の結果、特定ＦＡＫＲＡ規格準拠コネクタの改良は、そのコネクタ用のＦＡＫＲＡ規格が特定する配置と干渉しないように、注意深く行われねばならない。
【特許文献１】米国特許第４７９７１２０号明細書
【特許文献２】米国特許第５７４１１５９号明細書
【特許文献３】米国特許第５６６２４８１号明細書
【発明の開示】
【発明が解決しようとする課題】
【０００７】
ＦＡＫＲＡ規格スキームは成功しているが、１極及び２極のＦＡＫＲＡ規格ジャックハウジングへのＳＭＢジャック接続及び相手プラグへの結果としてのＦＡＫＲＡ−ＳＭＢ組立体接続において改良は望ましい。例えば、ＦＡＫＲＡ規格ジャックハウジングに含まれるＳＭＢインタフェースは、適切な音及び節度感をフィードバックするように、対応するＳＭＢジャックとの接触を維持する。
【０００８】
ＦＡＫＲＡ規格ジャックハウジングへのＳＭＢジャック接続もまた、接続の際の物理的及び温度のストレスがある或る用途内で柔軟でなければならない。例えば、自動車用途に使用されるＦＡＫＲＡ−ＳＭＢ組立体は接触を維持しなければならないが、他方、同時に自動車用途に置かれる不可避のストレスに遭遇する際に接続解除するよう接触を維持しないようにしなければならない。
【０００９】
本発明は、上述の問題に鑑み、従来技術の欠点を克服するためになされた。
【課題を解決するための手段】
【００１０】
本発明は、ジャックへの改良されたジャックハウジング接続と対応するプラグへの改良されたジャックハウジング−ジャック組立体とを有する改良されたコネクタシステムを開示する。実施形態は、ジャックハウジング及びジャックを印刷回路基板又はケーブルのいずれかに接続するために、１極又は２極のいずれかのジャックハウジング及びジャック、１極又は多極ケーブル組立体に使用される。
【００１１】
本発明の一実施形態の部品は、１極又は２極のいずれかのＦＡＫＲＡ規格ジャックハウジングからなる。ここで、ＦＡＫＲＡ規格ジャックハウジングは前方部及び後方部からなる。本実施形態において、ハウジングの前方部は、各々所望のキーのためのＦＡＫＲＡ規格を維持するように構成される。例えば、２極ＦＡＫＲＡハウジングは、別のプラグ用の別のＦＡＫＲＡキーを有することができる。ＦＡＫＲＡ規格ジャックハウジングの後方部は、ＳＭＢジャック用の接続手段を具備する。ＦＡＫＲＡ規格ジャックハウジングの後方部は、両側壁の背面にラッチを有する。
【００１２】
ＳＭＢジャックは、後方部シェルに一体化された副組立体コンタクトからなる。ＳＭＢジャックは、ＦＡＫＲＡ規格ジャックハウジングの後方部にスナップ係合され、ジャックハウジングの後方部にあるラッチにより所定位置に固定される。ＳＭＢジャックは、ＦＡＫＲＡ規格ジャックハウジングのＳＭＢインタフェースに適切に接触する際に、ＦＡＫＲＡ規格ジャックハウジングにロックし係合する。
【００１３】
ＳＭＢジャックは、ハウジング後方部からの２個のラッチがＳＭＢジャックの後方部シェルの背面の周囲にスナップ嵌合する際に、ＦＡＫＲＡハウジング内に固定される。これにより、副組立体コンタクトがＦＡＫＲＡ規格ジャックハウジングのＳＭＢインタフェースとの係合の維持が可能になる。
【００１４】
本発明の一実施形態の別の特徴は、２極ＦＡＫＲＡ規格ジャックハウジングの２つの前方部を接続する連結部である。連結部は、コネクタに安定性を付加し、前方部が互いに対称で平行な関係を維持するのを補助する。連結部は、プラグのスロット内に挿入され、プラグのロック窓と嵌合する２極ＦＡＫＲＡ−ＳＭＢ組立体のロック突起と所定位置で固くロックされる。
【００１５】
本発明のさらに別の実施形態及びそのラッチの特徴は、ＳＭＢジャックが所定位置にラッチされた後、ＦＡＫＲＡ規格ジャックハウジングからＳＭＢジャックを除去することができることである。例えば、これにより、補修を必要として、又は必要なコンタクトが無くて不良のＳＭＢジャックを除去及び交換することができる。
【００１６】
本発明のさらに別の実施形態は、２極ＦＡＫＲＡ規格ジャックハウジングに関係するので、２個の別のキーイング機構を有する前方部である。（前述した）連結部により結合された、ＦＡＫＲＡ規格ジャックハウジングの２個の前方部は、適切なプラグに接続するために異なるキーイングを有する。
【発明を実施するための最良の形態】
【００１７】
図面を詳細に参照すると、全図を通して同様の参照符号は同様の要素を示す。図１には、ライトアングル型印刷回路基板（ＰＣＢ）用コンタクト６を有するコネクタの一実施形態１０が示される。図１は、非嵌合状態のジャックハウジング２０（ＦＡＫＲＡ規格コネクタを有するジャックハウジング）及びジャック４０（ＳＭＢジャック）の正面を示す。ジャックハウジング２０の前方部２２は、所望の通り、すなわち所望のＦＡＫＲＡコードに従って構成される。このため、前方部２２は、多数の所望のＦＡＫＲＡキーイング構成を獲得する。ジャックハウジング２０の後方部２４は、対応するジャック４０に適合する開口を提供する。前方部２２は、ジャックハウジング２０の後方部２４から延びるほぼ管状部材である。本実施形態において、前方部２２は、前方部のほぼ全長にわたりほぼ三角形の要素であるキー３２を有する。また、前方部２２はロック突起３６を有する。ロック突起３６は、ジャックハウジング２０の後方部２４にぶつかる矩形片に直交して落ちる平坦頂上部を有するほぼ傾斜した面を有する。
【００１８】
本典型例において、後方部２４は２個のラッチ２６を有する。ラッチ２６は、ジャック４０がジャックハウジング２０に一体化されると、ジャック４０の後方部シェル４２の周囲にスナップ嵌合する。後方部シェル４２は、副組立体コンタクト４４に隙間無く接続し且つ含むほぼ立方体の部材である。ラッチ２６は、後方部シェル４２を越えると外方に広がり、ジャック４０がジャックハウジング２０に適切に一体化されると、後方部シェル４２の周囲を内方に締め付けることにより、ジャックハウジング２０内にジャック４０を固定する。副組立体コンタクト４４は、ジャックハウジング２０内に含まれる、図４及び図６のＳＭＢインタフェース２８と適切に接触するよう構成される。本実施形態において、副組立体コンタクト４４は、ジャック４０の後方部シェル４２から延び、前端の開口と部分的に四角に区切られた端部とを有するほぼ管状に形成される。一体化されると、ジャックハウジング２０はジャック４０を保持し、ジャックハウジング及びジャック組立体の撓みを可能にし、他方、ＳＭＢインタフェース２８に対するジャック４０の接触を維持する。
【００１９】
図２を参照すると、２個のジャック４０２極のジャックハウジング２０を有する２極コネクタが示される。前方部２２は、ＦＡＫＲＡ仕様に従ってキー配置された２個のバレル３０を有する。２個のバレル３０の一方はキー３２を有するが、他方のバレルにはＦＡＫＲＡ仕様に従ってキーはない。本実施形態において、２極ＦＡＫＲＡ準拠コネクタ用に８通りの異なる位置がある。前方部２２は、２個のバレル３０を連結して２個のバレル３０間を構造的に支持する連結部３４をさらに具備する。連結部３４は、ジャックハウジング２０の後方部２４から外方へ延びてバレル３０の外面に沿って接続されたほぼ平坦な片である。連結部３４の頂上の中央に位置するのはロック突部３６である。本実施形態において、ロック突部３６は、図１に記載された形状をなし、連結部３４の中央に配置される。連結部３４及びロック突起３６は、プラグ５０内に安定して一体化されることができる。
【００２０】
後方部２４は、本実施形態において４個のラッチ２６をさらに具備する。ラッチ２６は、２個のジャック４０の２個の後シェル４２の背面の周囲にスナップ嵌合する。
【００２１】
本明細書で使用される「スナップ嵌合」の用語はジャック４０をスナップイン及びスナップアウトすることに留意されたい。すなわち、ジャック４０の取付は永久的なものではないが、２個のジャック４０は、後シェル４２の背面の周囲にスナップ係合されるラッチを引き離すことにより、除去可能である。
【００２２】
図２は、スロット５２及びロック窓５４を有し、組立後のジャックハウジング２０及びジャック４０の安定した一体化を可能にするプラグ５０をさらに示す。プラグ５０は、適当なＦＡＫＲＡキーを収容して一体化するよう構成される。連結部３４はスロット５２に一体化し、ロック突部３６はロック窓５４の所定位置にロックされて接触を提供し維持する。２個のバレル３０は、所望のＦＡＫＲＡコードに従ってキーイングされてプラグ５０内に安定的に一体化する。
【００２３】
図３を参照すると、組立後のコネクタ１０が示され、ジャック４０がジャックハウジング２０内に安定して一体化されている。本実施形態において、ジャック４０の後シェル４２を覆う後方部２４が図示されている。ラッチ２６は、ジャック４０の背面の周囲にスナップ係合してジャック４０がジャックハウジング２０から損傷を受けるのを防止する内側フラップを有する。
【００２４】
図４は、１極ＦＡＫＲＡコネクタのキー３２用の１１通りのキー位置を有する一実施形態を示す。また図４は、各ジャックハウジング２０の内に含まれるＳＭＢインタフェース２８の位置実施形態を示す。
【００２５】
図５は、２個のジャック４０と嵌合した２極ジャックハウジング２０を示し、ジャック４０はジャックハウジング２０内に安定して一体化されている。各ジャック４０は、その他のジャック４０から除去可能であり、その他のジャック４０とは別に挿入可能である。ジャック４０及びジャックハウジング２０間の嵌合は、図３に記載されるものと同じである。
【００２６】
図６は、２極ＦＡＫＲＡコネクタのキー３２用の８通りのキー位置の一つを示す。本実施形態において、２個のバレル３０の一つを例示する８通り全てのキー構成は突起がないことに留意されたい。図６はまた、各ジャックハウジング２０内に含まれるＳＭＢインタフェース２８を示す。
【００２７】
図７は１極ジャックハウジング２０を示し、（Ａ）はその平面図、（Ｂ）はその側面図であり、２個のラッチ２６が後方部２４の背面に位置する。図７は、ジャック４０との嵌合の前に部分的に内側に撓むラッチ２６を示す。内側への張力は、ジャック４０がジャックハウジング２０内に一体化する際にジャック４０を固定するのを補助する。
【００２８】
図８は２極ジャックハウジング２０を示し、（Ａ）はその平面図、（Ｂ）はその側面図であり、４個のラッチ２６が後方部２４の背面に位置する。図８は、ジャック４０との嵌合の前に部分的に内側に撓むラッチ２６を示す。内側への張力は、ジャック４０がジャックハウジング２０内に一体化する際にジャック４０を固定するのを補助する。
【００２９】
図９はジャックハウジング２０に嵌合完了した１個のジャック４０を有する組立後のコネクタを示し、（Ａ）はその平面図、（Ｂ）はその側面図であり、２個のラッチ２６がジャック４０の後シェル４２の周囲にスナップ嵌合する。ジャック４０が一体化されると、ラッチ２６は外方に撓む。ジャック４０が嵌合完了すると、ラッチ２６は後シェル４０の周囲にスナップ係合する。
【００３０】
図１０は、ジャックハウジング２０内に嵌合完了した２個のジャック４０を有する組立後のコネクタの平面図である。コネクタは、４個のラッチ２６と、２個の前方部２２を連結する連結部３４を有する。連結部３４上のロック突起３６は、図２のロック窓５４内に一体化可能である。連結部３４は、前方部２２とほぼ同じ長さである。
【００３１】
図１１は、ジャックハウジング２０のバレル３０の断面を示す。
【００３２】
図１２は、２極のジャックハウジング２０の２個のバレル３０の断面を示す。
【００３３】
他の実施形態において、図１及び図６に示されるような直角型ジャックに代わって直線型副コネクタを使用してもよい。
【００３４】
種々の要素は、当業界で公知であるような材料で製造される。例えば、本発明の一実施形態は、ポリブチレンテレフタレート（ＰＢＴ）又は他の同様の材料から構成することができる。さらに、限定しない例として、ＳＭＢインタフェース２８、副組立体コンタクト４４およびＰＣＢコンタクトを含む導電要素は、例えば銅等の導電要素製である。
【００３５】
上述の説明、図面、及び図で示された材料は、例示目的であり、本発明を限定することを意図したものではなく、またそのように解釈すべきでない。
【００３６】
また、当業者が本明細書を読めば、或る種の変形・変更を示唆するであろうし、それらの変形・変更の全ては、特許請求の範囲に定義された本発明の真髄及び範囲内であることが意図されている。
【図面の簡単な説明】
【００３７】
【図１】本発明のジャックハウジング及びジャックの斜視図である。
【図２】本発明の２極ジャックハウジング及び２個のジャックの斜視図である。
【図３】組立後の１極コネクタの斜視図である。
【図４】１極コネクタに対して１１通りの異なるキー位置の一つを示す組立後の１極コネクタの正面図である。
【図５】組立後の２極コネクタの斜視図である。
【図６】２極コネクタに対して８通りの異なるキー位置の一つを示す組立後の２極コネクタの正面図である。
【図７】１極ジャックハウジングを示す（Ａ）平面図、（Ｂ）側面図である。
【図８】２極ジャックハウジングを示す（Ａ）平面図、（Ｂ）側面図である。
【図９】組立後の１極コネクタを示す（Ａ）平面図、（Ｂ）側面図である。
【図１０】組立後の２極コネクタを示す平面図である。
【図１１】１極ジャックハウジングの正面図である。
【図１２】２極ジャックハウジングの正面図である。
【符号の説明】
【００３８】
２０  ジャックハウジング
２２  前方部
２４  後方部
２８  ＳＭＢインタフェース
３４  連結部
３６  ロック突起
４０  ジャック
４２  後シェル
４４  副組立体コンタクト
【図１】
2004241385.tif 000003
【図２】
2004241385.tif 000004
【図３】
2004241385.tif 000005
【図４】
2004241385.tif 000006
【図５】
2004241385.tif 000007
【図６】
2004241385.tif 000008
【図７】
2004241385.tif 000009
【図８】
2004241385.tif 000010
【図９】
2004241385.tif 000011
【図１０】
2004241385.tif 000012
【図１１】
2004241385.tif 000013
【図１２】
2004241385.tif 000014